(57)【特許請求の範囲】
【請求項１】
通信端末装置間で授受されるメールに含まれるコンテンツの管理を行うコンテンツ管理方法であって、
送信元の移動通信端末装置が、コードデータで記述可能なグラフィックス記述言語を用いて記述されるとともに、再利用のための保存処理の制限情報を含む著作権管理情報が選択的に付与された複数の画面構成要素を含むメッセージを作成するメッセージ作成工程と；
前記送信元の移動通信端末装置が、前記メッセージを含むメールを、利用可能な画面構成要素が保存されて構成され、予め定められた方式で区分されたジャンルごとに用意された複数の画面構成要素セットが記憶される所定領域を含む記憶手段を備える送信先の通信端末装置へ送信するメール送信工程と；
前記メールを受けた前記送信先の通信端末装置が、前記著作権管理情報を抽出する著作権管理情報抽出工程と；
前記著作権管理情報により前記再利用のための保存処理が制限されておらず、かつ、前記所定領域に保存されていない未保存画面構成要素が、前記メッセージに含まれている場合に、前記送信先の通信端末装置が、前記未保存画面構成要素のそれぞれについて保存するか否かの問合せを、前記送信先の通信端末装置の利用者に対して行う保存問合工程と；
前記問合せに応答して、保存すべき旨の指定がなされた未保存画面構成要素を、前記メッセージとは別途に、前記送信先の通信端末装置が前記複数の画面構成要素セットのいずれかに保存する画面構成要素保存工程と；
を備えることを特徴とするコンテンツ管理方法。
【請求項２】
前記複数の画面構成要素のうちで前記送信元の移動通信端末装置の利用者が著作権を有する画面構成要素については、前記送信元の移動通信端末装置の利用者の指令に従って、前記送信先の通信端末装置に応じた著作権管理情報が付与される、ことを特徴とする請求項１に記載のコンテンツ管理方法。
【請求項３】
前記画像構成要素の改変処理の制限情報及び前記画像構成要素の転送処理の制限情報が前記著作権管理情報に更に含まれる場合に、前記送信先の通信端末装置が、前記画像構成要素の改変の制限情報及び前記画像構成要素の転送の制限情報で制限されていない処理を行う処理工程を更に備える、ことを特徴とする請求項１又は２に記載のコンテンツ管理方法。
【請求項４】
メールを受信するメール受信手段と；
利用可能な画面構成要素が保存されて構成され、予め定められた方式で区分されたジャンルごとに用意された複数の画面構成要素セットが記憶される所定領域を含む記憶手段と；
前記メール受信手段により受信されたメールに、コードデータで記述可能なグラフィックス記述言語を用いて記述されるとともに、再利用のための保存処理の制限情報を含む著作権管理情報が選択的に付与された複数の画面構成要素を含む受信メッセージが含まれる場合に、前記受信メッセージ中の著作権管理情報を抽出し、前記受信メッセージに含まれている受信画面構成要素について、前記抽出された著作権管理情報により制限されていない画面構成要素に関する処理を行う画面構成要素処理手段と；を備え、
前記画面構成要素処理手段は、
前記著作権管理情報により前記再利用のための保存処理が制限されておらず、かつ、前記所定領域に保存されていない未保存画面構成要素が、前記受信メッセージに含まれている場合に、前記未保存画面構成要素のそれぞれについて保存するか否かの問合せを、利用者に対して行い、
前記問合せに応答して、保存すべき旨の指定がなされた未保存画面構成要素を、前記受信メッセージとは別途に、前記複数の画面構成要素セットのいずれかに保存する、
ことを特徴とする移動通信端末装置。
【請求項５】
前記著作権管理情報には、前記画像構成要素の改変処理の制限情報が更に含まれ、
前記画面構成要素処理手段が行う処理には、前記著作権管理情報により前記改変処理が制限されていない画面構成要素に対する改変処理が含まれる、
ことを特徴とする請求項４に記載の移動通信端末装置。
【請求項６】
前記著作権管理情報には、前記画像構成要素の転送処理の制限情報が更に含まれ、
前記画面構成要素処理手段が行う処理には、前記著作権管理情報により前記転送処理が制限されていない画面構成要素の転送が含まれる、
ことを特徴とする請求項４又は５に記載の移動通信端末装置。
【発明の詳細な説明】
【技術分野】
【０００１】
本発明は、コンテンツ管理方法及び移動通信端末装置に係り、より詳しくは、移動通信端末装置間で授受されるメールに含まれるコンテンツの管理を行うコンテンツ管理方法、及び、当該コンテンツ管理方法に利用される移動通信端末装置に関するものである。
【背景技術】
【０００２】
従来から、携帯電話装置を代表とする移動通信端末装置が広く普及している。こうした移動通信端末装置に関する技術は目覚しく進歩している。例えば、電子メール機能を有する携帯電話装置等は、当初はテキスト情報の伝達のみが可能であったが、現在では、写真等の画像情報も伝達可能なマルチメディアメッセージングサービス（Multimedia Messaging Service：ＭＭＳ）も利用可能となっている。
【０００３】
かかるＭＭＳを利用してテキスト情報及び画像情報を送信することができる例として、送信元の携帯電話等が、テキスト情報を収納したテキストファイル及び画像情報を収納した画像ファイルを送信する方法が提案されている（特許文献１参照）。このようにテキストファイルと画像ファイルとの２種類のファイルを送信するのは、テキスト形式では、画像情報を表現することができず、かつ、画像形式では、テキスト形式（コード）による簡易なテキスト文字表現の利点が失われてしまうためである。
【０００４】
ところで、メールによって伝達されるメッセージは、一般に著作物であり、著作権による保護対象となる。かかるメッセージがテキスト情報のみである場合には、メッセージの著作物性が高いといえず、また、他人による利用性も低いことから、著作権による保護の必要性は低かった。
【０００５】
しかしながら、ＭＭＳを利用したメールの送受信が普及するにつれ、伝達されるメッセージに、著作物性が高く、かつ、他人による利用性も高いコンテンツが含まれる場合が多くなってきている。こうしたコンテンツの保護を図るために、再利用のための保存等の制限を行うための著作権管理情報をメールに含ませる、いわゆるフォワードロック（Forward-lock）方式を採用することが考えられる。
【０００６】
こうした著作権管理情報によるコンテンツの保護は、一般にファイルを最小単位として行われる。このため、ＭＭＳを利用したメールによりテキスト情報及び画像情報を含むメッセージを伝達する場合には、著作権管理情報による保護対象は、テキストファイルに含まれるテキスト情報、画像ファイルに含まれる画像情報又はメッセージ全体となる。
【０００７】
【特許文献１】特開２００５−１８２３２４号公報
【発明の開示】
【発明が解決しようとする課題】
【０００８】
ところで、上述したＭＭＳを利用して伝達されるメッセージは、それぞれが著作物である複数のコンテンツを利用して作成された新たなコンテンツが１ファイルとされている場合がある。例えば、複数の画像を合成して作成された新たな画像が１ファイルとされる場合が、この場合に該当する。
【０００９】
こうした複数のコンテンツを利用して作成された新たなコンテンツが１ファイルとされているメッセージを受信した側としては、受信メッセージの作成に利用された複数のコンテンツの内に、再利用が制限されていないものがある場合には、自らが新たなメッセージを作成する際に利用できるようにすることが望ましい。しかしながら、例えば、複数の画像を合成して作成された新たな画像が１ファイルとされている場合には、再利用できるとすれば、当該新たな画像のみである。
【００１０】
また、１ファイルとされている新たなコンテンツの作成に利用された複数のコンテンツに、１つでも再利用が制限されているコンテンツが存在する場合には、当該新たなコンテンツも利用が制限されることになる。これは、当該新たなコンテンツが、再利用が制限されているコンテンツを原著作物とする二次的著作物に該当することになる。
【００１１】
さらに、１ファイルとされている新たなコンテンツの作成に利用された複数のコンテンツを個々に分解可能であったとしても、現状における著作権管理情報によるコンテンツの保護は、ファイルを最小単位として行われることから、再利用が制限されているコンテンツを１つでも含んでいれば、全てのコンテンツの再利用を制限せざるを得ない。これは、再利用が制限されている著作物が再利用されることを防ぐためである。
【００１２】
本発明は、上記の事情を鑑みてなされたものであり、メールに含まれる各コンテンツに付与されている著作権による保護を尊重しつつ、各コンテンツの利用をきめ細かく管理することができるコンテンツ管理方法を提供することを目的とする。
【００１３】
また、本発明は、上記のコンテンツ管理方法の使用に際して採用することができる移動通信端末装置を提供することを目的とする。
【課題を解決するための手段】
【００１４】
本発明は、第１の観点からすると、通信端末装置間で授受されるメールに含まれるコンテンツの管理を行うコンテンツ管理方法であって、送信元の移動通信端末装置が、コードデータで記述可能なグラフィックス記述言語を用いて記述されるとともに、再利用のための保存処理の制限情報を含む著作権管理情報が選択的に付与された複数の画面構成要素を含むメッセージを作成するメッセージ作成工程と；前記送信元の移動通信端末装置が、前記メッセージを含むメールを、利用可能な画面構成要素が保存されて構成され、予め定められた方式で区分されたジャンルごとに用意された複数の画面構成要素セットが記憶される所定領域を含む記憶手段を備える送信先の通信端末装置へ送信するメール送信工程と；前記メールを受けた前記送信先の通信端末装置が、前記著作権管理情報を抽出する著作権管理情報抽出工程と；前記著作権管理情報により前記再利用のための保存処理が制限されておらず、かつ、前記所定領域に保存されていない未保存画面構成要素が、前記メッセージに含まれている場合に、前記送信先の通信端末装置が、前記未保存画面構成要素のそれぞれについて保存するか否かの問合せを、前記送信先の通信端末装置の利用者に対して行う保存問合工程と；前記問合せに応答して、保存すべき旨の指定がなされた未保存画面構成要素を、前記メッセージとは別途に、前記送信先の通信端末装置が前記複数の画面構成要素セットのいずれかに保存する画面構成要素保存工程と；を備えることを特徴とするコンテンツ管理方法である。
【００１５】
このコンテンツ管理方法では、メッセージ作成工程において、送信元の移動通信端末装置が、コードデータで記述可能なグラフィックス記述言語を用いて記述されるとともに、再利用のための保存処理の制限情報を含む著作権管理情報が選択的に付与された複数の画面構成要素を含むメッセージを作成する。ここで、「グラフィックス記述言語」とは、テキスト文字及び画像という画面構成要素のそれぞれをコードデータにより、所定のグラフィック形式で記述可能な言語であり、例えば、Ｗ３Ｃ（World Wide Web Consortium）により勧告されている２次元ベクタ画像記述言語であるＳＶＧ（Scalable Vector Graphics）等が該当する。このため、送信元の移動通信端末装置によって作成されたメッセージにおいては、利用者の趣味感に合わせて、背景画像、前景画像、テキスト文字等の画面構成要素の表示属性を、画面構成要素ごとに設定することができる。
【００１６】
また、複数の画面構成要素のそれぞれは１ファイル化される必要はなく、１以上の画面構成要素を含んで１ファイルを構成することができる。また、複数の画面構成要素の全てを含んで１ファイルとすることができる。
【００１７】
次に、送信工程において、送信元の移動通信端末装置が、メッセージ作成工程において作成されたメッセージを含む電子メールを、ネットワークを介して、利用可能な画面構成要素が保存され、予め定められた方式で区分されたジャンルごとに用意された複数の画面構成要素セットが記憶される所定領域を含む記憶手段を備える送信先の通信端末装置へ送信する。
【００１８】
送信先の通信端末装置は、送信元の移動通信端末装置からのメールを受けると、著作権管理情報抽出工程において、当該メールに含まれるメッセージ中から著作権管理情報を抽出する。保存問合工程において、当該著作権管理情報により再利用のための保存処理が制限されておらず、かつ、当該所定領域に保存されていない未保存画面構成要素が、受信したメッセージに含まれている場合に、送信先の通信端末装置が、未保存画面構成要素のそれぞれについて保存するか否かの問合せを、送信先の通信端末装置の利用者に対して行う。そして、画面構成要素保存工程において、当該問合せに応答して、保存すべき旨の指定がなされた未保存画面構成要素を、当該メッセージとは別途に、送信先の通信端末装置が複数の画面構成要素セットのいずれかに保存する。
【００１９】
したがって、本発明のコンテンツ管理方法によれば、メールに含まれる各コンテンツに付与されている著作権による保護を尊重しつつ、各コンテンツの利用をきめ細かく管理することができる。そして、さらに、送信先の通信端末装置の利用者の趣味感や、送信先の通信端末装置の記憶容量に応じた画面構成要素の再利用のための保存を、送信先の通信端末装置において行うことができる。
【００２０】
本発明のコンテンツ管理方法では、前記複数の画面構成要素のうちで前記送信元の移動通信端末装置の利用者が著作権を有する画面構成要素については、前記送信元の移動通信端末装置の利用者の指令に従って、前記送信先の通信端末装置に応じた著作権管理情報が付与されるようにすることができる。この場合には、送信元の移動通信端末装置の利用者が著作権を有する画面構成要素については、著作権管理情報の内容を一律に設定するのではなく、送信先の通信端末装置に応じた内容の著作権管理情報を設定することができる。この結果、著作権者である送信元の移動通信端末装置の利用者の意志に応じ、送信先の通信端末装置の利用者ごとに、当該画面構成要素の利用を制限することができる。
【００２３】
また、本発明のコンテンツ管理方法では、前記画像構成要素の改変処理の制限情報及び前記画像構成要素の転送処理の制限情報が前記著作権管理情報に更に含まれる場合に、前記送信先の通信端末装置が、前記画像構成要素の改変の制限情報及び前記画像構成要素の転送の制限情報で制限されていない処理を行う処理工程を更に備えるようにすることができる。
【００２９】
本発明は、第２の観点からすると、メールを受信するメール受信手段と；利用可能な画面構成要素が保存されて構成され、予め定められた方式で区分されたジャンルごとに用意された複数の画面構成要素セットが記憶される所定領域を含む記憶手段と；前記メール受信手段により受信されたメールに、コードデータで記述可能なグラフィックス記述言語を用いて記述されるとともに、再利用のための保存処理の制限情報を含む著作権管理情報が選択的に付与された複数の画面構成要素を含む受信メッセージが含まれる場合に、前記受信メッセージ中の著作権管理情報を抽出し、前記受信メッセージに含まれている受信画面構成要素について、前記抽出された著作権管理情報により制限されていない画面構成要素に関する処理を行う画面構成要素処理手段と；を備え、前記画面構成要素処理手段は、前記著作権管理情報により前記再利用のための保存処理が制限されておらず、かつ、前記所定領域に保存されていない未保存画面構成要素が、前記受信メッセージに含まれている場合に、前記未保存画面構成要素のそれぞれについて保存するか否かの問合せを、利用者に対して行い、前記問合せに応答して、保存すべき旨の指定がなされた未保存画面構成要素を、前記受信メッセージとは別途に、前記複数の画面構成要素セットのいずれかに保存する、ことを特徴とする移動通信端末装置である。
【００３０】
この移動通信端末装置では、コードデータで記述可能なグラフィックス記述言語を用いて記述されるとともに、再利用のための保存処理の制限情報を含む著作権管理情報が選択的に付与された複数の画面構成要素を含む受信メッセージが含まれるメールを受信すると、画面構成要素処理手段が、受信メッセージ中の著作権管理情報を抽出する。そして、画面構成要素処理手段が、抽出された著作権管理情報により制限されていない受信画面構成要素に関する処理を行う。ここで、画面構成要素処理手段は、当該著作権管理情報により再利用のための保存処理が制限されておらず、かつ、所定領域に保存されていない未保存画面構成要素が、受信メッセージに含まれている場合に、当該未保存画面構成要素のそれぞれについて保存するか否かの問合せを、利用者に対して行う。そして、画面構成要素処理手段は、当該問合せに応答して、保存すべき旨の指定がなされた未保存画面構成要素を、当該受信メッセージとは別途に、所定領域に記憶され、予め定められた方式で区分されたジャンルごとに用意された複数の画面構成要素セットのいずれかに保存する。このため、本発明の移動通信端末装置は、上述した本発明のコンテンツ管理方法における送信先の通信端末装置として要求される機能を有している。したがって、本発明の移動通信端末装置を、本発明のコンテンツ管理方法の使用に際して採用することができる。
【００３１】
本発明の移動通信端末装置では、前記著作権管理情報に、前記画像構成要素の改変処理の制限情報が更に含まれる場合には、前記画面構成要素処理手段が行う処理には、前記著作権管理情報により前記改変処理が制限されていない画面構成要素に対する改変処理が含まれるようにすることができる。この場合には、画面構成要素の改変について、きめの細かい管理を行うことができる。
また、本発明の移動通信端末装置では、前記著作権管理情報に、前記画像構成要素の転送処理の制限情報が更に含まれる場合には、前記画面構成要素処理手段が行う処理には、前記著作権管理情報により前記転送処理が制限されていない画面構成要素の転送が含まれるようにすることができる。この場合には、画面構成要素の転送について、きめの細かい管理を行うことができる。
【発明の効果】
【００３３】
以上説明したように、本発明のコンテンツ管理方法によれば、メールに含まれる各コンテンツに付与されている著作権による保護を尊重しつつ、各コンテンツの利用をきめ細かく管理することができるという効果を奏する。
【００３４】
また、本発明の移動通信端末装置によれば、本発明のコンテンツ管理方法を使用することができるという効果を奏する。
【発明を実施するための最良の形態】
【００３５】
以下、本発明の一実施形態を、図１〜図８を参照しつつ説明する。これらの図においては、同一又は同等の要素には同一の符号を付し、重複する説明を省略する。
【００３６】
［構成］
【００３７】
図１は、本発明のコンテンツ管理方法が使用される移動通信システム１００の概略的な構成図である。図１に示されるように、移動通信システム１００は、（ａ）電子メールの送受信機能を有する移動通信端末装置である携帯電話装置１０，２０と、（ｂ）携帯電話装置１０，２０が無線通信を行う基地局５２，５３，…と、（ｃ）基地局５２，５３，…が接続され、不図示のメールサーバ等を含むネットワーク５０と、（ｄ）ネットワーク５０に接続された画面構成要素サーバ３０と、（ｅ）後述するＳＶＧＭメッセージの作成に利用可能な画面構成要素を作成する画面構成要素作成装置４０とを備えている。なお、図１においては、携帯電話装置１０と基地局５２とが無線通信を行うとともに、携帯電話装置２０と基地局５３とが無線通信を行う場合の例が示されているが、携帯電話装置１０，２０が無線通信を行う基地局は、基地局５２，５３に限定されるものではない。また、図１においては、画面構成要素サーバ３０及び画面構成要素作成装置４０をそれぞれ１台ずつ図示しているが、画面構成要素サーバ３０又は画面構成要素作成装置４０の数は複数であってもよい。
【００３８】
次に、携帯電話装置１０の構成を、図２（Ａ）、図２（Ｂ）及び図３を参照して説明する。ここで、図２（Ａ）は携帯電話装置１０の外観の正面図であり、図２（Ｂ）は携帯電話装置１０の外観の裏面図である。また、図３は、携帯電話装置１０のハードウエア的な機能ブロック図である。
【００３９】
図２（Ａ）及び図２（Ｂ）により総合的に示されるように、携帯電話装置１０は、（ａ）携帯電話装置本体１１と、（ｂ）電話番号，文字等を制御部２１へ入力するためのテンキー、及び、各種指令を制御部２１へ入力するためのファンクションキーを有する操作部１２と、（ｃ）制御部２１による指令に応じて操作案内、動作状況、受信メッセージ等を表示する表示部（ディスプレイ）１３とを備えている。また、携帯電話装置１０は、（ｄ）通話時に通信相手から送信された音声信号を再生する通話用スピーカ１４と、（ｅ）通話時に音声を入力するためのマイクロフォン１５と、（ｆ）制御部２１による指令に応じて着信音や案内音を発生するための案内用スピーカ１６とを備えている。
【００４０】
携帯電話装置本体１１は、図３に示されるように、（ｉ）携帯電話装置１０の各部の動作を制御する制御部２１と、（ii）無線信号用のアンテナ１７を有し無線信号を送受信する送受信部２２と、（iii）各種データを記憶する記憶部２３とを備えている。
【００４１】
記憶部２３に記憶されるデータには、後述するＳＶＧＭ（Scalable Vector Graphics for Messaging）メッセージを作成する際に利用可能な複数の装飾された画面構成要素を含む画面構成要素セット２６が含まれている。こうした画面構成要素は、ＳＶＧにより記述されている。なお、ＳＶＧは、ＸＭＬ（eXtensible Markup Language）をベースとした言語であって、２次元画像をベクタ方式で記述するためのグラフィック記述言語の１つである。ＳＶＧは、画像を点の集合体ではなく、線や面等の図形の集合体として表現できる。
【００４２】
画面構成要素セット２６に含まれる画面構成要素としては、例えば、絵文字、顔文字、アイコン、イラスト、記号、シンボルマーク、企業又は団体のロゴ、商標、商号等がある。また、画面構成要素に施される装飾としては、同一系統の色に塗られる、あるいは、水玉模様が付されるといった所望のデザイン上のテイストに基づいて定められる。また、画面構成要素として、静止したもののみならず、動く文字列、動く絵文字、左右に移動する背景画像、アニメーション画像等を採用することもできる。
【００４３】
画面構成要素セット２６に含まれる画面構成要素は、携帯電話装置１０の工場出荷時に予め実装されることも可能であり、また、画面構成要素サーバ３０からのダウンロードにより入手することも可能である。また、画面構成要素作成装置４０において作成された画面構成要素を、ネットワーク５０、記憶媒体又は不図示の外部インターフェースを介して入手することも可能である。さらに、利用者が表示部１３における表示を参照しつつ操作部１２を操作して、所望の画面構成要素を作成することもできる。
【００４４】
なお、画面構成要素セット２６の数は１つに限られるものではなく、複数であってもよい。例えば、絵文字、シンボルマーク等のジャンルごとに、あるいは、作成者又は提供者ごとに画面構成要素セットを用意することもできる。
【００４５】
制御部２１は、中央処理装置（Central Processing Unit：ＣＰＵ）、デジタル信号処理装置（Digital Signal Processor）等を備えて構成されている。この制御部２１において各種プログラムを実行することにより、上述した構成要素を制御して、携帯電話装置１０としての機能が実現される。こうして制御部２１において実行されるブログラムとして、ＳＶＧＭに関連する処理を行うＳＶＧＭ処理プログラム７０がある。
【００４６】
ＳＶＧＭ処理プログラム７０は、送信ＳＶＧＭメール処理部７１と、受信ＳＶＧＭメール処理部７２と、画面構成要素処理部７３とを備えている。
【００４７】
ここで、ＳＶＧＭメッセージ６０（図４参照）について説明する。図４に示されるように、ＳＶＧＭメッセージ６０は、ＳＶＧＭファイル６１と、制御ファイル６２とを含んでいる。
【００４８】
ＳＶＧＭファイル６１は、２次元ベクタ画像記述言語であるＳＶＧで記述された画面構成要素６５ａ，６５ｂ，６５ｃ，６５ｄ，…を含んでいる。画面構成要素６５ａ，６５ｂ，６５ｃ，６５ｄ，…としては、例えば、絵文字、インライン画像、前景画像、背景画像等が挙げられる。ここで、インライン画像とは、文字列の途中に挿入される画像である。
【００４９】
画面構成要素６５ａは、図５に示されるように、画面構成要素記述部６６ａと、著作権管理情報記述部６７ａとを含んでいる。ここで、画面構成要素記述部６６ａには、画面構成要素の形態が記述されている。また、著作権管理情報記述部６７ａには、画面構成要素６５ａを含むメッセージが伝達された携帯電話装置等における画面構成要素６５ａに関する処理の制限情報が、著作権管理情報として記述されている。
【００５０】
こうした著作権管理情報は、画面構成要素６５ａの作成時に、著作者によって著作権管理情報記述部６７ａに記述される。本実施形態では、画面構成要素６５ａに関する処理の制限情報として、再利用のための保存処理、改変処理及び転送処理についての制限情報が記述される。
【００５１】
なお、画面構成要素６５ａの構成要素としては、画面構成要素記述部６６ａは必須要素であるが、著作権管理情報記述部６７ａは任意要素である。著作権管理情報記述部６７ａが含まれていない場合には、画面構成要素６５ａは、再利用のための保存処理、改変処理及び転送処理についての制限による保護はなされない。
【００５２】
画面構成要素６５ｂ，６５ｃ，６５ｄ，…のそれぞれは、上記の画面構成要素６５ａと同様に構成されている。
【００５３】
制御ファイル６２には、テキスト文字や画像の種類、表示部１３における表示位置、表示タイミング、表示時間を制御するための情報が含まれている。この制御ファイル６２と、上述したＳＶＧＭファイル内の画面構成要素６５ａ，…とによって、作成者が意図したＳＶＧＭメッセージの内容が記述される。なお、制御ファイル６２の内容は、例えば、ＳＭＩＬ（Synchronized Multimedia Integration Language）によって記述される。このＳＭＩＬは、ＸＭＬベースの言語であって、テキスト文字，絵文字，画像，動画，音，音楽等について、表示や再生を制御するための情報を記述するための言語である。
【００５４】
以上のように構成されるＳＶＧＭメッセージ６０の例が、図６に示されている。なお、図６には、ＳＶＧＭメッセージ６０の例が表示部１３に表示された場合が示されている。この例においては、図６に示されるように、文字列６９ａ，６９ｂと、絵文字６９ｃと、インライン画像又は前景画像であるラスタ画像６９ｄと、背景画像であるラスタ画像６９ｅとが含まれている。ここで、文字列６９ａ，６９ｂは、テキストデータによって一文字づつ記述されたものである。
【００５５】
なお、以下の説明においては、送信すべきＳＶＧＭメッセージと受信したＳＶＧＭメッセージとを区別する必要がある場合には、送信すべきＳＶＧＭメッセージをＳＶＧＭメッセージ６０Ｏと記し、受信したＳＶＧＭメッセージをＳＶＧＭメッセージ６０Ｉと記すものとする。また、ＳＶＧＭメッセージ６０Ｏに含まれるＳＶＧＭファイル及び制御ファイルを、ＳＶＧＭファイル６１Ｏ及び制御ファイル６２Ｏと記すものとする。さらに、ＳＶＧＭメッセージ６０Ｉに含まれるＳＶＧＭファイル及び制御ファイルを、ＳＶＧＭファイル６１Ｉ及び制御ファイル６２Ｉと記すものとする。
【００５６】
図３に戻り、上記の送信ＳＶＧＭメール処理部７１は、利用者による操作部１２からの指令入力に従って、適宜記憶部２３内の画面構成要素セット２６を参照しつつ、ＳＶＧＭファイル６１Ｏ及び制御ファイル６２Ｏを作成することにより、ＳＶＧＭメッセージ６０Ｏを作成する。ここで、画面構成要素セット２６内の画面構成要素の利用に際しては、他人が著作権を有するものについては、著作権管理情報により転送が制限されていないもののみを利用する。そして、送信ＳＶＧＭメール処理部７１は、利用者による操作部１２からの指令入力に従って、ＳＶＧＭメッセージ６０Ｏを含むＳＶＧＭメールを送信先の移動通信端末装置へ向けて送信する。
【００５７】
受信ＳＶＧＭメール処理部７２は、ＳＶＧＭメールを受信すると、記憶部２３内の所定の領域に格納する。そして、受信ＳＶＧＭメール処理部７２は、利用者による操作部１２からの指令入力に従って、受信したＳＶＧＭメールに含まれるＳＶＧＭメッセージ６０Ｉの内容を表示部１３へ表示する。
【００５８】
画面構成要素処理部７３は、画面構成要素サーバ３０からのネットワーク５０を介した画面構成要素の入手、及び、画面構成要素作成装置４０からのネットワーク５０、記録媒体又は外部インターフェースを介した画面構成要素の入手を行う。また、画面構成要素処理部７３は、受信ＳＶＧＭメッセージ６０Ｉに含まれる画面構成要素のうち、再利用のための保存が制限されていないものについて、利用者の指令入力に従って、画面構成要素セット２６内に登録する。
【００５９】
なお、画面構成要素処理部７３は、受信ＳＶＧＭメッセージ６０Ｉに含まれる画面構成要素のうちに転送が禁止されている画面構成要素が存在している場合には、受信ＳＶＧＭメッセージ６０Ｉを含む受信メール自体を転送禁止メールに設定する。この結果、当該受信メールの転送が禁止される。
【００６０】
さらに、画面構成要素処理部７３は、著作権管理情報により改変の制限がなされていない画面構成要素セット２６内の画面構成要素について、利用者による操作部１２からの指令入力に従った改変を行う。なお、画面構成要素処理部７３は、著作権が携帯電話装置１０の利用者にある画面構成要素については、著作権管理情報による改変の制限の有無にかかわらず、利用者による操作部１２からの指令入力に従った改変を行うことができるようになっている。
【００６１】
図１に戻り、携帯電話装置２０は、上記の携帯電話装置１０と同様に構成されている。
【００６２】
画面構成要素サーバ３０は、図７に示されるように、（ａ）画面構成要素サーバ３０の全体を制御する制御部３１と、（ｂ）制御部３１による制御のもとで、ネットワーク５０を介した通信を行うための送受信部３２と、（ｃ）様々なデータを記憶し、制御部２１がアクセス可能な固定ディスク装置等の記憶部３３とを備えている。ここで、記憶部３３には、多数の画面構成要素を含む画面構成要素を含む画面構成要素セット３６が記憶されている。画面構成要素セット３６内の画面構成要素のそれぞれは、上述した画面構成要素６５ａ，…と同様に、その内容がＳＶＧにより記述されている。
【００６３】
制御部３１は、中央処理装置（ＣＰＵ）等を備えて構成されている。この制御部３１において各種プログラムを実行することにより、上述した構成要素を制御して、画面構成要素サーバ３０としての機能が実現される。こうした画面構成要素サーバ３０としての機能としては、携帯電話装置１０，２０からの要求に応答して、画面構成要素セット３６内の画面構成要素をダウンロードする機能等がある。
【００６４】
画面構成要素作成装置４０は、パーソナルコンピュータシステム等の計算機システムとして構成される。画面構成要素作成装置４０ではＳＶＧ関連の処理が可能となっており、画面構成要素作成装置４０の利用者が、表示装置の画面を見ながら、キーボードやマウス等を操作して、ＳＶＧで記述された画面構成要素を作成することができるようになっている。かかる画面構成要素の作成に際して、画面構成要素作成装置４０の利用者が、著作権管理情報記述部に著作権管理情報を記述することにより、作成した画面構成要素について著作権に基づく所望の保護を受けることを図る。
【００６５】
こうして画面構成要素作成装置４０において作成された画面構成要素は、画面構成要素サーバ３０へ供給されたり、携帯電話装置１０，２０へネットワーク５０、記録媒体又は外部インターフェースを介して供給されたりする。なお、例えば、携帯電話装置１０の利用者が画面構成要素作成装置４０を利用して作成し、携帯電話装置１０へ供給した画面構成要素は、上述したように、携帯電話装置１０において、その利用者に著作権があることを識別できるようになっている。
【００６６】
［動作］
【００６７】
次に、上記のようにして構成された移動通信システム１００におけるＳＶＧＭメールの送受信処理について、説明する。なお、携帯電話装置１０で作成されたＳＶＧＭメールが、携帯電話装置２０へ向けて送信される場合を例にとって、以下の説明を行う。
【００６８】
携帯電話装置１０の利用者が携帯電話装置２０へ向けてＳＶＧＭメールを送信する場合には、図８に示されるように、まず、ステップＳ１１において、携帯電話装置１０の送信ＳＶＧＭメール処理部７１が、ＳＶＧＭメッセージを作成する。このステップＳ１１においては、送信ＳＶＧＭメール処理部７１が、適宜記憶部２３内の画面構成要素セット２６を参照しつつ、ＳＶＧＭファイル６１及び制御ファイル６２を作成することにより、ＳＶＧＭメッセージ６０を作成する。
【００６９】
ＳＶＧＭファイル６１の作成に際して、送信ＳＶＧＭメール処理部７１は、まず、移動通信システム１００の利用者が携帯電話装置２０へ向けて伝達するＳＶＧＭメッセージに含めることを指定した画面構成要素の種類を判別する。この判別の結果、利用者により指定された画面構成要素がテキスト文字であった場合には、送信ＳＶＧＭメール処理部７１は、適宜改行の挿入処理を行いつつ、利用者から指定された単位ごとに利用者の趣味感に基づいて指定された書体、表示色等の装飾を施す。そして、送信ＳＶＧＭメール処理部７１は、送信先である携帯電話装置２０に応じた利用者により指定された著作権管理情報を記述する。こうして、テキスト文字の画面構成要素が作成される。そして、送信ＳＶＧＭメール処理部７１は、作成された画面構成要素をＳＶＧＭファイル６１内に格納する。
【００７０】
また、利用者により指定された画面構成要素が画面構成要素セット２６内のものであった場合には、送信ＳＶＧＭメール処理部７１は、指定された画面構成要素の著作権が携帯電話装置１０の利用者にあるか否かを判定する。この判定が否定的であった場合には、送信ＳＶＧＭメール処理部７１は、当該画面構成要素中の著作権管理情報において転送が制限されているか否かを判定する。かかる転送制限に関する判定結果が肯定的であった場合には、送信ＳＶＧＭメール処理部７１は、送信メッセージの作成に、当該画面構成要素が利用できない旨を表示部１３に表示する等して、利用者に通知する。一方、転送制限に関する判定結果が肯定的であった場合には、送信ＳＶＧＭメール処理部７１は、その画面構成要素をＳＶＧＭファイル６１内に格納する。なお、画面構成要素の作成に際しては、背景色の指定等もなされる。
【００７１】
上記の著作権の保有に関する判定結果が肯定的であった場合には、送信ＳＶＧＭメール処理部７１は、利用者による指令に応じて、携帯電話装置２０に応じて指定された著作権管理情報を著作権管理情報記述部に記述する。この後、送信ＳＶＧＭメール処理部７１は、その画面構成要素をＳＶＧＭファイル６１内に格納する。
【００７２】
こうした画面構成要素の作成及びＳＶＧＭファイル６１内への格納により、伝達しようとするＳＶＧＭメッセージ６０に対応するＳＶＧＭファイル６１が作成される。
【００７３】
また、送信ＳＶＧＭメール処理部７１は、利用者による操作部１２からの指令入力に従って、制御ファイル６２を作成する。制御ファイル６２の作成に際して、送信ＳＶＧＭメール処理部７１は、作成されたＳＶＧＭファイル６１内の画面構成要素が適切に画面表示されるように制御ファイル６２を作成する。
【００７４】
以上のようにしてＳＶＧＭメッセージ６０が作成されると、ステップＳ１２において、携帯電話装置１０の送信ＳＶＧＭメール処理部７１が、ＳＶＧＭメッセージ６０を含むＳＶＧＭメールを送信する。このＳＶＧＭメールの送信に際しては、送信ＳＶＧＭメール処理部７１が、利用者から指定された送信先（携帯電話装置２０）や標題等をＳＶＧＭメッセージ６０に付加したＳＶＧＭメールを作成する。そして、利用者から送信指令がなされると、送信ＳＶＧＭメール処理部７１が、携帯電話装置２０へ向けて、ＳＶＧＭメールを送信する。
【００７５】
こうして携帯電話装置１０から送信されたＳＶＧＭメールは、ステップＳ１３において、携帯電話装置２０により受信される。こうして、ＳＶＧＭメールが受信されると、携帯電話装置２０では、メールを受信した旨が、携帯電話装置２０の利用者へ通知される。この通知を受けた利用者による受信メッセージ表示指令を受けて、ステップＳ１４のメッセージ表示処理が行われる。
【００７６】
ステップＳ１４のメッセージ表示処理においては、携帯電話装置２０の受信ＳＶＧＭメール処理部７２が、まず、受信したメッセージがＳＶＧＭメッセージ６０であるか否かを判定する。この判定の結果が否定的であった場合には、受信ＳＶＧＭメール処理部７２は、他の形式のメッセージ処理を行うためのプログラムモジュールに、メッセージ表示処理を委託する。以下、受信したメッセージがＳＶＧＭメッセージ６０であるか否かの判定の結果が肯定的であったものとして、説明する。
【００７７】
受信メッセージがＳＶＧＭメッセージ６０であった場合には、受信ＳＶＧＭメール処理部７２は、制御ファイル６２の内容を解読し、制御ファイル６２により指定された表示態様で、ＳＶＧＭファイル６１に含まれる画面構成要素の表示を行う。具体的には、受信ＳＶＧＭメール処理部７２は、（ｉ）インライン画像の画面構成要素を、文字列中の指定位置に挿入する、（ii）表示倍率を調整して各画面構成要素を拡大又は縮小する等を行う等して、ＳＶＧＭファイル６１に含まれる画面構成要素の表示を行う。
【００７８】
以上のＳＶＧＭメッセージの表示処理が終了すると、受信ＳＶＧＭメール処理部７２は、画面構成要素処理部７３に対して受信したＳＶＧＭメッセージ６０中の画面構成要素の種類を報告する。この報告を受けた画面構成要素処理部７３は、ステップＳ１５において、ＳＶＧＭメッセージ６０中の画面構成要素に関する再利用のための保存処理を行う。
【００７９】
ステップＳ１５においては、まず、画面構成要素処理部７３が、ＳＶＧＭメッセージ６０中の各画面構成要素が、既に画面構成要素セット２６に記憶されているものと同一か否かを判定する。この判定の結果が、ＳＶＧＭメッセージ６０中の全ての画面構成要素について肯定的であった場合には、画面構成要素処理部７３は、ステップＳ１５の処理を終了する。
【００８０】
一方、画面構成要素セット２６に記憶されているものと同一か否かの判定の結果が否定的であったものがあった場合には、画面構成要素処理部７３は、それらの画面構成要素のそれぞれについて、再利用のための保存が制限されている否かを判定する。この判定の結果が肯定的な画面構成要素については、画面構成要素処理部７３は、再利用のための保存を行わない。これに対して、再利用のための保存の制限に関する判定の結果が否定的であった場合には、画面構成要素処理部７３は、再利用のための保存が可能な画面構成要素のそれぞれについて、携帯電話装置２０の利用者に、再利用のための保存を行うか否かを問い合わせる。そして、利用者から再利用のための保存をすべきことを指定された画面構成要素を、画面構成要素セット２６中に保存する。この後、画面構成要素処理部７３は、利用者の指令に従って、利用者が改変の権限を有する画面構成要素について、適宜改変する。
【００８１】
また、受信したＳＶＧＭメールに転送が禁止された画面構成要素が含まれていた場合には、当該受信したＳＶＧＭメールが転送禁止メールに設定される。
【００８２】
なお、携帯電話装置２０から携帯電話装置１０へのＳＶＧＭメッセージの伝達も、上記と同様にして行われる。
【００８３】
［効果］
【００８４】
以上説明したように、本実施形態では、送信先の携帯電話装置へＳＶＧＭメッセージを伝達する際に、送信メッセージ作成手段である送信ＳＶＧＭメール処理部７１が、コードデータで記述可能なグラフィックス記述言語を用いて記述されるとともに、著作権管理情報が選択的に付与された複数の送信画面構成要素を含むＳＶＧＭメッセージ６０を作成する。ここで、ＳＶＧＭメッセージの作成に際しては、利用者が転送の権限を有する画面構成要素のみが利用される。そして、メール送信手段でもある送信ＳＶＧＭメール処理部７１が、ＳＶＧＭメッセージ６０を含むメールを送信先の携帯電話装置に向けて送信する。
【００８５】
一方、送信元からのＳＶＧＭメッセージ６０を含むメールを受信すると、メール受信手段である受信ＳＶＧＭメール処理部７２が、受信したメールに含まれるＳＶＧＭメッセージ６０を表示部１３に表示する。そして、画面構成要素処理部７３が、ＳＶＧＭメッセージ６０中の画面構成要素の内で、再利用のために保存が制限されておらず、かつ、利用者が保存要と判断した画面構成要素を、再利用のために保存する。この後、画面構成要素処理部７３は、利用者の指令に従って、利用者が改変の権限を有する画面構成要素について、適宜改変する。
【００８６】
したがって、本実施形態によれば、メールに含まれる各コンテンツに付与されている著作権による保護を尊重しつつ、各コンテンツの利用をきめ細かく管理することができる。
【００８７】
また、本実施形態では、ＳＶＧＭメッセージ６０に含まれる画面構成要素のうちで、送信元の携帯電話装置の利用者が著作権を有する画面構成要素については、利用者の指令に従って、送信先の携帯電話装置に応じた著作権管理情報が付与されるようにすることができる。このため、著作権者である送信元の携帯電話装置の利用者の意志に応じ、送信先の携帯電話装置の利用者ごとに、当該画面構成要素の利用制限の態様を変化させることができる。
【００８８】
また、本実施形態では、受信したＳＶＧＭメッセージに含まれている画面構成要素の再利用のための保存、改変及び転送のそれぞれについて、個別に制限することができるようにしているので、一層きめの細かい管理を行うことができる。
【００８９】
また、本実施形態では、受信したＳＶＧＭメッセージのうちで、再利用のための保存が制限されていない画面構成要素については、利用者による許可を受けた後に、再利用のための保存を行うようにするようにしている。このため、利用者の趣味感や、携帯電話装置の記憶容量に応じた画面構成要素の再利用のための保存を行うことができる。
【００９０】
なお、上記の実施形態では、画面構成要素を記述するグラフィックス記述言語にＳＶＧを採用したが、ＰｏｓｔＳｃｒｉｐｔ、ＶＲＭＬ（Virtual Reality Modeling Language）、Ｘ３Ｄ（eXtensible 3D）等を、ＳＶＧに代えて用いることもできる。
【００９１】
また、著作権管理情報に含まれる制限情報は、再利用のための保存、改変及び転送に関するものに限定されず、制限の種類を減らしてもよいし、増やしてもよい。
【００９２】
また、上記の実施形態では、本発明を携帯電話装置におけるメール処理に適用したが、電子メール授受機能を有するたの移動通信端末装置にも本発明を適用できることは、勿論である。
【００９３】
また、上記の実施形態では、携帯電話装置間におけるＳＶＧＭメールの授受について説明したが、送信側又は受信側の一方を他の種類の移動通信端末装置又はパーソナルコンピュータ等の通信端末装置とすることもできる。
【産業上の利用可能性】
【００９４】
以上説明したように、本発明のコンテンツ管理方法は、メールに含まれるコンテンツの著作権に基づく管理に適用することができる。また、本発明の移動通信端末装置は、著作権に係るコンテンツを含むメールを送受信する移動通信端末装置に適用することができる。
【図面の簡単な説明】
【００９５】
【図１】本発明のメール処理方法が使用される移動通信システムの概略的な構成図である。
【図２】図１の携帯電話装置の外観を概略的に示す図である。
【図３】図２の携帯電話装置の機能ブロック図である。
【図４】ＳＶＧＭメッセージの構成を説明するための図である。
【図５】ＳＶＧＭメッセージ中の画面構成要素の構成を説明するための図である。
【図６】ＳＶＧＭメッセージの表示例を説明するための図である。
【図７】画面構成要素サーバの構成を説明するためのブロック図である。
【図８】図１の移動通信システムにおけるＳＶＧＭメール処理を説明するためのシーケンス図である。
【符号の説明】
【００９６】
１０，２０…携帯電話装置（移動通信端末装置）、１１…携帯電話装置本体、１２…操作部、１３…表示部、１４…通話用スピーカ、１５…マイクロフォン、１６…案内用スピーカ、１７…アンテナ、２１…制御部、２２…送受信部、２３…記憶部、２６…画面構成要素セット、３０…画面構成要素サーバ、３１…制御部、３２…送受信部、３３…記憶部、３６…画面構成要素セット、４０…画面構成要素作成装置、５０…ネットワーク、５２，５３…基地局、６０…ＳＶＧＭメッセージ、６１…ＳＶＧＭファイル、６２…制御ファイル、６５ａ，６５ｂ，６５ｃ，６５ｄ…画面構成要素、６６ａ…画面構成要素記述部、６７ａ…著作権管理情報記述部、７０…ＳＶＧＭ処理プログラム、７１…送信ＳＶＧＭメール処理部（送信メッセージ作成手段、メール送信手段、画面構成要素処理手段の一部）、７２…受信ＳＶＧＭメール処理部、７３…画面構成要素処理部（画面構成要素処理手段の一部）、１００…移動通信システム。
【図１】
0004452678.tif 000002
【図２】
0004452678.tif 000003
【図３】
0004452678.tif 000004
【図４】
0004452678.tif 000005
【図５】
0004452678.tif 000006
【図６】
0004452678.tif 000007
【図７】
0004452678.tif 000008
【図８】
0004452678.tif 000009